(57)【要約】【課題】  温水タンクで加熱した温水を用いて各流路内を殺菌させると共に、各流路内の全てに温水が廻るようにした循環流路を形成することで、外気に露出した冷水吐出口及び温水吐出口の殺菌を可能にさせ、衛生面を確保することができる飲料用給水機の提供。【解決手段】  冷水吐出口２３及び温水吐出口３５に着脱可能に接続させる２口の循環流入口４０と、吸水口１０に着脱可能に接続させる循環流出口４１とが配管４２で連通された殺菌用配管部材４を備え、冷水吐出口及び温水吐出口に循環流入口を接続させると共に、吸水口に循環流出口を接続させた状態で、冷水吐出口及び温水吐出口から殺菌用配管部材を経て吸水流路１及び冷水流路２及び温水流路３を通り、冷水吐出口及び温水吐出口に戻る循環流路を形成する。【選択図】  図１
2006096362.tif 000002
【特許請求の範囲】
【請求項１】
飲料水を収容した水タンクに着脱可能に接続させる吸水口が形成された吸水流路と、この吸水流路に設けたポンプにより水タンクから吸水させた飲料水を冷水タンクで冷却して冷水吐出口から取り出す冷水流路と、前記飲料水を温水タンクで加熱して温水吐出口から取り出す温水流路とが形成された飲料用給水機において、
前記冷水吐出口及び温水吐出口に着脱可能に接続させる２口の循環流入口と、前記吸水口に着脱可能に接続させる循環流出口とが配管で連通された殺菌用配管部材を備え、
前記冷水吐出口及び温水吐出口に循環流入口を接続させると共に、前記吸水口に循環流出口を接続させた状態で、前記冷水吐出口及び温水吐出口から殺菌用配管部材を経て吸水流路及び冷水流路及び温水流路を通り、冷水吐出口及び温水吐出口に戻る循環流路が形成されるようにしたことを特徴とした飲料用給水機。
【請求項２】
飲料水を収容した水タンクに着脱可能に接続させる吸水口が形成された吸水流路と、この吸水流路に設けたポンプにより水タンクから吸水させた飲料水を冷水タンクで冷却して冷水吐出口から取り出す冷水流路と、前記飲料水を温水タンクで加熱して温水吐出口から取り出す温水流路とが形成された飲料用給水機において、
前記温水タンクは、その外周が保温空間を介して保温カバーにより覆われると共に、この保温空間内に保熱材が収容され、
前記冷水タンクには、冷却水の増減に応じて吸気又は排気させる吸気弁及び排気弁が取り付けられ、
吸気弁は前記保温空間内に接続した第１吸気管と、保温空間内から延長した第２吸気管を介して冷水タンクに接続され、
吸気弁から吸気された空気が、保温空間に収容した保熱材に接触して加熱殺菌された状態で、冷水タンクに吸入されるように形成されていることを特徴とした飲料用給水機。
【発明の詳細な説明】
【技術分野】
【０００１】
本発明は、一般家庭や各種のイベント会場、料飲店、会社等に設置され、温水と冷水を取り出すことができる飲料用給水機に関する。
【背景技術】
【０００２】
従来、飲料用給水機として、飲料水を収容した水タンクに着脱可能に接続させる吸水口が形成された吸水流路と、この吸水流路に設けたポンプによって水タンクから吸水させた飲料水を冷却タンクで冷却して冷水吐出口から取り出す冷水流路と、前記飲料水を温水タンクで加熱して温水吐出口から取り出す温水流路とが形成されたものが知られている。
【０００３】
このような飲料用給水機では、衛生面を確保することが重要であり、そのため、各流路内を熱によって殺菌するようにした飲料用給水機が提案されている（特許文献１参照）。
この熱によって流路内を殺菌する飲料用給水機は、冷水流路の途中と温水流路の途中を連通させた循環流路を形成させ、温水流路に設けた温水タンクで加熱させた温水を、ポンプにより循環流路内で循環させることで、その循環流路内を殺菌させるようにした構造になっていた。
【０００４】
上記の飲料用給水機では、温水タンクで加熱させた温水を用いて殺菌させるため、別途の加熱装置が不要になるといった利点がある。
しかしながら、冷水流路の途中と温水流路の途中を連通させて循環流路を形成したものであるため、全ての流路を廻るように温水を循環させることができない。
特に、冷水吐出口及び温水吐出口のように、外気に開口した部分には雑菌が付き易く、ここを殺菌することが極めて重要となるが、従来の飲料用給水機では、冷水吐出口及び温水吐出口が循環流路に含まれないため、ここを殺菌することができない。
【０００５】
なお、温水吐出口は通常の使用で温水が通るため、その際に殺菌が行なわれるが、冷水吐出口については温水が全く通らないため、温水による殺菌ができず、雑菌が繁殖して不衛生になってしまうという問題があった。
【特許文献１】特開平６−４８４８８号公報
【発明の開示】
【発明が解決しようとする課題】
【０００６】
本発明は、温水タンクで加熱した温水を用いて各流路内を殺菌させると共に、各流路内の全てに温水が廻るようにした循環流路を形成することで、外気に露出した冷水吐出口及び温水吐出口の殺菌を可能にさせ、衛生面を確保することができる飲料用給水機を提供することを第１の課題としている。
【０００７】
又、冷水タンクには、冷却水の増減に応じて吸気又は排気させる吸気弁及び排気弁が取り付けられるが、吸気弁から吸気された空気には雑菌が含まれているため、これをそのまま吸入すると、冷水タンク内に雑菌が繁殖するおそれがある。
そこで、本発明では、温水タンクの熱を利用して効率良く空気を加熱殺菌させてから冷水タンク内に吸入させることで、雑菌の繁殖を抑制できるようにした飲料用給水機を提供することを第２の課題としている。
【課題を解決するための手段】
【０００８】
上記第１の課題を解決するために、本発明の飲料用給水機は、
飲料水を収容した水タンクに着脱可能に接続させる吸水口が形成された吸水流路と、この吸水流路に設けたポンプにより水タンクから吸水させた飲料水を冷水タンクで冷却して冷水吐出口から取り出す冷水流路と、前記飲料水を温水タンクで加熱して温水吐出口から取り出す温水流路とが形成された飲料用給水機において、
前記冷水吐出口及び温水吐出口に着脱可能に接続させる２口の循環流入口と、前記吸水口に着脱可能に接続させる循環流出口とが配管で連通された殺菌用配管部材を備え、
前記冷水吐出口及び温水吐出口に循環流入口を接続させると共に、前記吸水口に循環流出口を接続させた状態で、前記冷水吐出口及び温水吐出口から殺菌用配管部材を経て吸水流路及び冷水流路及び温水流路を通り、冷水吐出口及び温水吐出口に戻る循環流路が形成される構成とした。
【０００９】
上記第２の課題を解決するために、本発明の飲料用給水機は、
飲料水を収容した水タンクに着脱可能に接続させる吸水口が形成された吸水流路と、この吸水流路に設けたポンプにより水タンクから吸水させた飲料水を冷水タンクで冷却して冷水吐出口から取り出す冷水流路と、前記飲料水を温水タンクで加熱して温水吐出口から取り出す温水流路とが形成された飲料用給水機において、
前記温水タンクは、その外周が保温空間を介して保温カバーにより覆われると共に、この保温空間内に保熱材が収容され、
前記冷水タンクには、冷却水の増減に応じて吸気又は排気させる吸気弁及び排気弁が取り付けられ、
吸気弁は前記保温空間内に接続した第１吸気管と、保温空間内から延長した第２吸気管を介して冷水タンクに接続され、
吸気弁から吸気された空気が、保温空間に収容した保熱材に接触して加熱殺菌された状態で、冷水タンクに吸入されるように形成されている構成とした。
【発明の効果】
【００１０】
本発明（請求項１）では、殺菌用配管部材を用いたことで、冷水吐出口及び温水吐出口から殺菌用配管部材を経て吸水流路及び冷水流路及び温水流路を通り冷水吐出口及び温水吐出口に戻る循環流路を形成することができる。
従って、温水タンクで加熱した温水を、各流路内の全てに廻らせることができ、外気に露出した冷水吐出口及び温水吐出口の殺菌が可能になり、衛生面を確保することができる。
【００１１】
又、本発明（請求項２）では、吸気弁から吸気された空気を、保温空間に収容した保熱材に接触させて加熱殺菌させてから、冷水タンクに吸入させるため、冷水タンク内での雑菌の繁殖を抑制することができる。
このとき、保温空間に保熱材を収容したので、効率良く空気を加熱殺菌することができる。
【発明を実施するための最良の形態】
【００１２】
以下、本発明の実施の形態を図面に示す実施例より説明する。なお、以下の各実施例において、同一構成部分については、図面の符号を同一にする。
図１及び図２は本発明の第１実施例に係る飲料用給水機の模式図であり、図１は殺菌用配管部材を取り付けた状態を示し、図２は殺菌用配管部材を取り外した状態を示している。
【００１３】
この飲料用給水機Ａには、吸水流路１と、冷水流路２と、温水流路３が形成されると共に、殺菌用配管部材４を備え、この殺菌用配管部材４を備えている構成が特徴である。
【００１４】
前記吸水流路１は、飲料水を収容した水タンク６に着脱可能に接続させる吸水口１０が吸水管１１の基端に設けられ、この吸水管１１の先端に形成した分岐管１２，１２が貯水タンク１３及び冷水流路２の冷水タンク２０の内部に挿入するように配管されている。
前記吸水管１１の途中には、ポンプ１４が取り付けられ、前記吸水口１０を水タンク６の筒状口部６０に接続させた状態で、このポンプ１４を作動させることで、水タンク６内の飲料水を貯水タンク１３及び冷水タンク２０に導水するようになっている。
【００１５】
前記ポンプ１４は間欠送水ポンプに形成されている。
この間欠送水ポンプは、吸水管１１の途中に形成した蛇腹状の拡縮室１４ａを往復駆動部１４ｂにより拡大縮小させ、この拡大縮小動作に対応して、入口側と出口側に設けた開閉弁（図示省略）を交互に開閉させて、水タンク６からの水を間欠的に送水するようになっている。
このように、間欠送水ポンプを用いると、貯水タンク１３及び冷水タンク２０に飲料水を間欠的に送水することができるため、水の勢いによって飲料水を十分に攪拌させることができ、タンク内にミネラル分が付着したり、堆積したりするのを防止して、衛生的に使用することができる。
なお、ポンプとしては、間欠送水ポンプに限らず、モータ駆動で回転するインペラ等を備えた従来周知のポンプを使用できる。
【００１６】
前記冷水流路２は、冷水タンク２０の底部から冷水管２１が延長配管され、この冷水管２１の先端に冷水コック２２が取り付けられ、この冷水コック２２に冷水吐出口２３が形成された構造になっている。
【００１７】
前記冷水タンク２０は、前記吸水流路１によって導水した飲料水を収容して冷却させるためのもので、外周下側に冷凍サイクル（図示省略）の蒸発管２０ａが巻き付けられ、この蒸発管２０ａによって冷却された冷水が水圧により冷水管２１を通して冷水コック２２の冷水吐出口２３から取り出せるようになっている。
【００１８】
前記貯水タンク１３は、前記吸水流路１によって導水した飲料水を収容させるためのもので、水位が一定レベル以下になると、これを水位センサ１３ａが感知して前記ポンプ１４を作動させ、タンク内水位を所定の水位に保持させるようになっている。
【００１９】
前記温水流路３は、前記貯水タンク１３の底部から延長した第１送水管３０が温水タンク３１の底部に接続されると共に、前記冷水タンク２０の底部から延長した第２送水管３２が第１送水管３０の途中に接続され、この第１送水管３０及び第２送水管３２によって貯水タンク１３及び冷水タンク２０の飲料水を温水タンク３１に導水するようになっている。
また、前記温水タンク３１の上部から温水管３３が延長配管され、この温水管３３の先端に温水コック３４が取り付けられ、この温水コック３４に温水吐出口３５が形成された構造になっている。
又、温水タンク３１の上部から前記貯水タンク１３の上部に蒸気管３６ｂが延長配管されている。
【００２０】
前記第１送水管３０の途中にはドレン管３６が分岐配管され、このドレン管３６に設けたドレンコック３７の閉鎖状態では、上記のように、貯水タンク１３及び冷水タンク２０の飲料水を第１送水管３０及び第２送水管３２によって温水タンク３１に導水することができる。
他方、ドレンコック３７の開放状態では、貯水タンク１３及び冷水タンク２０及び温水タンク３１及び各配管内の飲料水を第１送水管３０及び第２送水管３２及びドレン管３６によって外部に排水することができるようになっている。
【００２１】
前記温水タンク３１は、収容した飲料水を加熱して温水を得るためのもので、外周下側にバンドヒータ３１ａが巻き付けられ、このバンドヒータ３１ａによって加熱された温水が、水圧により温水管３３を通して温水コック３４の温水吐出口３５から取り出せるようになっている。
又、この温水タンク３１は、その外周が保温空間３８を介して保温カバー３９により覆われ、この保温空間３８内には、保熱材３８ａ（ステンレスウール、スチールウール、保熱性の石、セラミックボール等）が収容されている。
なお、この実施例の保温カバー３９は、ステンレス板の外面にスポンジを張り合わせて形成したもので、ステンレス板が保温空間３８内に面している。
【００２２】
なお、前記貯水タンク１３及び冷水タンク２０には、冷却水の増減に応じて吸気又は排気させる吸気弁５０及び排気弁５１が取り付けられている。
排気弁５１は、貯水タンク１３及び冷水タンク２０に直接に取り付けられ、冷却水が増加すると開放して、タンク内部の空気を排出させるようになっている。
【００２３】
又、吸気弁５０は前記保温空間３８内に接続した第１吸気管５０ａと、保温空間３８内から延長した分岐吸気管（第２吸気管）５０ｂを介して貯水タンク１３及び冷水タンク２０に接続され、冷却水が減少すると開放して、タンク内部に空気を吸入させるようになっている。
この場合、吸気弁５０から吸気された空気は、保温空間３８を通して貯水タンク１３及び冷水タンク２０に吸入されるもので、このとき、保温空間３８に収容した保熱材３８ａに接触して、空気が効率良く加熱殺菌される。
【００２４】
なお、図示省略したが、前記貯水タンク１３及び冷水タンク２０及び温水タンク３１の内部には、布や網等に包んだ状態の抗菌セラミックボールが収容されている。
又、前記冷水コック２２及び温水コック３４の内部、各配管の途中、ポンプ１４の内部にも抗菌セラミックボールが収容されている。
又、前記吸気弁５０及び排気弁５１の内部には、抗菌フイルタが収容されている。
このように、各部に抗菌セラミックボールや抗菌フイルタを設けるようにすると、雑菌の繁殖を抑えて、衛生面を向上できる。
【００２５】
前記水タンク６は、自在に変形可能な柔軟フイルムによって形成されたフイルムタンクに形成されている。
水タンク６（フイルムタンク）の素材としては、柔軟フイルム（ポリプロピレンフイルムやポリエチレンラミネートフイルム等）が用いられ、又、人体に害（例えば、環境ホルモンの溶出や臭気）を及ぼすことがないような素材を用いる。
なお、この水タンク６には、予め、飲料水（ミネラル水）が密封状態で収容されている。
【００２６】
次に、前記殺菌用配管部材４は、冷水コック２２の冷水吐出口２３及び温水コック３４の温水吐出口３５に着脱可能に接続させる２口の循環流入口４０，４０と、吸水流路１の吸水口１０に着脱可能に接続させる循環流出口４１とが配管４２で連通されている。
そして、前記冷水吐出口２３及び温水吐出口３５に循環流入口４０，４０を接続させると共に、吸水口１０に循環流出口４１を接続させた状態において、冷水吐出口２３及び温水吐出口３５から殺菌用配管部材４を経て吸水流路１及び冷水流路２及び温水流路３を通り、再び冷水吐出口２３及び温水吐出口３５に戻る循環流路が形成されるようになっている。
【００２７】
本実施例の飲料用給水機Ａでは、通常の使用に際しては、図２に示すように、殺菌用配管部材４を使用せず、吸水流路１の吸水口１０を水タンク６の筒状口部６０に接続させておく。
この状態では、水タンク６から吸水流路１を通して貯水タンク１３及び冷水タンク２０に飲料水が送水され、冷水タンク２０内で冷却された冷水を、冷水管２１を通して冷水コック２２の冷水吐出口２３から取り出すことができる。
又、冷水タンク２０及び貯水タンク１３から飲料水が第１送水管３０及び第２送水管３２を通して温水タンク３１に流入し、ここで加熱された温水を温水管３３を通して温水コック３４の温水吐出口３５から取り出すことができる。
【００２８】
この飲料用給水機Ａは、定期的に各流路を殺菌処理して、衛生面を確保させることができるようにしたもので、この殺菌処理に際し、図１に示すように、殺菌用配管部材４を使用する。
この場合、殺菌用配管部材４の循環流入口４０，４０を冷水吐出口２３及び温水吐出口３５に接続させると共に、吸水口１０を水タンク６の筒状口部６０から外して殺菌用配管部材４の循環流出口４１に接続させる。
この状態で、ポンプ１４を作動させるもので、これにより、各タンク及び各配管内の飲料水が、冷水吐出口２３及び温水吐出口３５から殺菌用配管部材４を経て吸水流路１及び冷水流路２及び温水流路３を通り、再び冷水吐出口２３及び温水吐出口３５に戻るように循環流路を循環する。
【００２９】
このとき、温水タンク３１はバンドヒータ３１ａによる加熱状態のままにしておくもので、加熱された温水が循環流路を循環するため、この温水によって各タンク及び各配管内を殺菌することができる。
【００３０】
このように、殺菌用配管部材４を用いたことで、冷水流路２の終端である冷水吐出口２３及び温水流路３の終端である温水吐出口３５と、吸水流路１の始端である吸水口１０とが連通するため、温水タンク３１で加熱した温水を、各流路内の全てに廻らせることができ、完全な殺菌を行なうことができる。
特に、外気に露出した冷水吐出口２３及び温水吐出口３５の殺菌が可能になり、確実に衛生面を確保することができる。
【００３１】
なお、前記温水による殺菌処理を一定時間行なった後は、ドレンコック３７を解放させ、貯水タンク１３及び冷水タンク２０及び温水タンク３１及び各配管内の飲料水を第１送水管３０及び第２送水管３２及びドレン管３６によって外部に排水させる。
【００３２】
又、本実施例では、吸気弁５０から吸入される空気は、保温空間３８を通る間に保熱材３８ａに接触して加熱殺菌され、この加熱殺菌された空気が貯水タンク１３及び冷水タンク２０に吸気されるため、貯水タンク１３及び冷水タンク２０内の雑菌の繁殖を防止でき、衛生面をより一層向上させることができる。
【００３３】
次に、図３及び図４は本発明の第２実施例に係る飲料用給水機の模式図であり、図３は殺菌用配管部材を取り付けた状態を示し、図４は殺菌用配管部材を取り外した状態を示している。
【００３４】
この飲料用給水機Ｂは、前記第１実施例の飲料用給水機Ａにおける貯水タンク１３を省略したもので、これに伴ない、冷水タンク２０内の上部から温水タンク３１の底部に延長して送水管７０が配管されており、その他の構成も貯水タンク１３を省略したことに伴う変更があるだけで、第１実施例とほぼ同様である。
又、殺菌処理に際し、殺菌用配管部材４を用いる構成は第１実施例と同様であり、その作用効果も同様である。
【図面の簡単な説明】
【００３５】
【図１】本発明の第１実施例に係る飲料用給水機の模式図である。
【図２】本発明の第１実施例に係る飲料用給水機の模式図である。
【図３】本発明の第２実施例に係る飲料用給水機の模式図である。
【図４】本発明の第２実施例に係る飲料用給水機の模式図である。
【符号の説明】
【００３６】
１  吸水流路
１０  吸水口
１１  吸水管
１２  分岐管
１３  貯水タンク
１３ａ  水位センサ
１４  ポンプ
１４ａ  拡縮室
１４ｂ  往復駆動部
２  冷水流路
２０  冷水タンク
２０ａ  蒸発管
２１  冷水管
２２  冷水コック
２３  冷水吐出口
３  温水流路
３０  第１送水管
３１  温水タンク
３１ａ  バンドヒータ
３２  第２送水管
３３  温水管
３４  温水コック
３５  温水吐出口
３６  ドレン管
３６ｂ  蒸気管
３７  ドレンコック
３８  保温空間
３８ａ  保熱材
３９  保温カバー
４  殺菌用配管部材
４０  循環流入口
４１  循環流出口
４２  配管
５０  吸気弁
５０ａ  吸気管
５０ｂ  分岐吸気管（第２吸気管）
５１  排気弁
６  水タンク
６０  筒状口部
７０  送水管
Ａ  飲料用給水機
Ｂ  飲料用給水機
【図１】
2006096362.tif 000003
【図２】
2006096362.tif 000004
【図３】
2006096362.tif 000005
【図４】
2006096362.tif 000006